【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらにＣｕＫα線を用いたＸ線回折パターンにおいて、回折角（２θ）が２７°〜２９°および３４°〜３６°の範囲にそれぞれ主回折ピークを示すことを特徴とする非水電解質二次電池用正極活物質。
【請求項２】
ＣｕＫα線を用いたＸ線回折パターンにおいて、回折角（２θ）が２９°〜３１°の範囲に主回折ピークを示すことを特徴とする請求項１記載の非水電解質二次電池用正極活物質。
【請求項３】
Ｌｉ、Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらにＣｕＫα線を用いたＸ線回折パターンにおいて、回折角（２θ）が４２°〜４４°および６２°〜６４°の範囲にそれぞれ主回折ピークを示すことを特徴とする非水電解質二次電池用二次電池用正極活物質。
【請求項４】
硫酸イオンを含む溶液中で、鉄塩とバナジウム塩とを４０℃〜１００℃の範囲内でともに加水分解する工程を含み、前記溶液中に含まれるバナジウムおよび硫黄のモル量をそれぞれＱ、Ｒとするとき、Ｑ＜Ｒであることを特徴とする請求項１または２記載の非水電解質二次電池用正極活物質の製造方法。
【請求項５】
リチウムイオンを吸蔵・放出することが可能な物質または金属リチウムのうち少なくとも一種を含む負極活物質を備えた負極と、正極を備えた非水電解質二次電池において、前記正極に、請求項１、２または３記載の非水電解質二次電池用正極活物質を備えたことを特徴とする非水電解質二次電池。
【手続補正２】
【補正対象書類名】明細書
【補正対象項目名】０００６
【補正方法】変更
【補正の内容】
【０００６】
本発明者は、かかる課題を解決するために鋭意努力した結果、新規バナジウム鉄複合酸化物が非水電解質二次電池用正極活物質として優れた性能を示すことをはじめて見出した。本発明は、新規正極活物質を用いることにより、安価で環境負荷が小さく、さらに高容量で、良好なサイクル性能を示す非水電解質二次電池用正極活物質およびその製造方法並びにそれを用いた非水電解質二次電池を提供することを目的とする。
【手続補正３】
【補正対象書類名】明細書
【補正対象項目名】０００７
【補正方法】変更
【補正の内容】
【０００７】
【課題を解決するための手段】
請求項１の発明は、非水電解質二次電池用正極活物質に関する発明であって、Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらにＣｕＫα線を用いたＸ線回折パターンにおいて、回折角（２θ）が２７°〜２９°および３４°〜３６°の範囲にそれぞれ主回折ピークを示すことを特徴としている。
【手続補正４】
【補正対象書類名】明細書
【補正対象項目名】０００９
【補正方法】変更
【補正の内容】
【０００９】
請求項２の発明は、上記請求項１に記載の非水電解質二次電池用正極活物質において、ＣｕＫα線を用いたＸ線回折パターンにおいて、回折角（２θ）が２９°〜３１°の範囲に主回折ピークを示すことを特徴としている。
【手続補正５】
【補正対象書類名】明細書
【補正対象項目名】００１１
【補正方法】変更
【補正の内容】
【００１１】
請求項３の発明は、非水電解質二次電池用正極活物質に関する発明であって、Ｌｉ、Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらにＣｕＫα線を用いたＸ線回折パターンにおいて、回折角（２θ）が４２°〜４４°および６２°〜６４°の範囲にそれぞれ主回折ピークを示すことを特徴としている。
【手続補正６】
【補正対象書類名】明細書
【補正対象項目名】００１３
【補正方法】変更
【補正の内容】
【００１３】
請求項４の発明は、請求項１または２記載の非水電解質二次電池用正極活物質の製造方法に関する発明であって、硫酸イオンを含む溶液中で、鉄塩とバナジウム塩とを４０℃〜１００℃の範囲内でともに加水分解する工程を含み、前記溶液中に含まれるバナジウムおよび硫黄のモル量をそれぞれＱ、Ｒとするとき、Ｑ＜Ｒであることを特徴としている。
【手続補正７】
【補正対象書類名】明細書
【補正対象項目名】００１４
【補正方法】変更
【補正の内容】
【００１４】
請求項４の発明によれば、きわめて簡便で、工業化プロセスとして大変優れた正極活物質の製造方法を提供することができる。さらに、請求項４の製造方法においては、１００℃〜４００℃の範囲で加熱処理する工程を含むことが好ましい。そのことにより、さらにサイクル性能に優れた正極活物質を提供することができる。
【手続補正８】
【補正対象書類名】明細書
【補正対象項目名】００１５
【補正方法】変更
【補正の内容】
【００１５】
請求項５の発明は、リチウムイオンを吸蔵・放出することが可能な物質または金属リチウムのうち少なくとも一種を含む負極活物質を備えた負極と、正極を備えた非水電解質二次電池に関する発明であって、前記正極に、請求項１、２または３記載の非水電解質二次電池用正極活物質を備えたことを特徴としている。
【手続補正９】
【補正対象書類名】明細書
【補正対象項目名】００１６
【補正方法】変更
【補正の内容】
【００１６】
請求項５の発明によれば、高い放電容量、良好なサイクル性能を示し、安価で環境負荷の小さい非水電解質二次電池が得られる。
【手続補正１０】
【補正対象書類名】明細書
【補正対象項目名】００１７
【補正方法】変更
【補正の内容】
【００１７】
【発明の実施の形態】
本発明の非水電解質二次電池用正極活物質は、Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらに充放電処理前では、ＣｕＫα線を用いたＸ線回折パターンにおいて、回折角（２θ）が２７°〜２９°および３４°〜３６°の範囲にそれぞれ主回折ピークを示す。ここで、主回折ピークとは、２５°＜２θ＜５０°の範囲内で、その強度が、高い方から数えて３番目以内であることを意味する。なお、ここで「正極活物質中のＦｅ、Ｖ、Ｓの含有量」とは、正極活物質総重量に対するＦｅ、Ｖ、Ｓの重量比率（ｗｔ％）を示すものとする。
【手続補正１１】
【補正対象書類名】明細書
【補正対象項目名】００２１
【補正方法】変更
【補正の内容】
【００２１】
本発明の非水電解質二次電池用正極活物質は、硫酸イオンを含む溶液中で、鉄塩とバナジウム塩とを４０℃〜１００℃の範囲内でともに加水分解することによって得られる。ここで、加水分解前の溶液に含まれるバナジウムおよび硫黄のモル量をそれぞれＱ、Ｒとするとき、Ｑ＜Ｒであることが必要である。Ｑ＜Ｒとする理由は、Ｑ≧Ｒの場合に本発明正極活物質と結晶構造が異なるβ−ＦｅＯＯＨが得られるからである。
【手続補正１２】
【補正対象書類名】明細書
【補正対象項目名】００３９
【補正方法】変更
【補正の内容】
【００３９】
【実施例】
以下に、本発明の非水電解質二次電池用正極活物質を用いた正極板、およびそれを備えた非水電解質二次電池を実施例に基づいて、さらに詳細に説明する。しかしながら、本発明は、以下の実施例によって限定されるものではない。
【手続補正１３】
【補正対象書類名】明細書
【補正対象項目名】００６７
【補正方法】変更
【補正の内容】
【００６７】
【発明の効果】
以上述べたように、Ｆｅ、Ｖ、Ｓ、Ｏを含み、Ｆｅ、Ｖ、Ｓの含有量をそれぞれＸ、Ｙ、Ｚ（ｗｔ％）とするとき、２５＜Ｘ、０＜Ｙ＜２５、０．０１＜Ｚであり、さらにＣｕＫα線を用いたＸ線回折パターンにおいて、回折角（２θ）が２７°〜２９°および３４°〜３６°の範囲にそれぞれ主回折ピークを示す非水電解質二次電池用正極活物質を用いた非水電解質二次電池は、高い放電容量と良好なサイクル性能を示す。